(57)【要約】【課題】トナーを補給するようなプリンタ（トナー補給機）の場合、トナー販売サイトから購入できないにもかかわらず、トナー販売サイトのＵＲＬが表示されることは、ユーザにとって、余計な混乱を招くことにつながる。  【解決手段】トナー種別をプリンタから取得し、トナーカートリッジが購入可能なプリンタであるかどうかを判断し、トナーカートリッジが購入可能でないプリンタであると判断した場合、トナーの販売先を画面に表示しない。【選択図】図３
2015004827.tif 000002
【特許請求の範囲】
【請求項１】
トナー残量をプリンタから取得して画面に表示する情報処理端末であって、プリンタからトナー残量を取得し、トナーが既定値を超えて少なくなっているかどうかを判断するトナー残量取得部（２０２）と、トナー種別をプリンタから取得し、トナーカートリッジが購入可能なプリンタであるかどうかを判断するトナー種別取得部（２０３）と、トナーの販売先ＵＲＬを画面に表示するＵＩ部（２０１）とを備え、トナー残量判断部でトナーが既定値を超えて少なくなっていると判断（Ｓ３０３）し、かつ、トナー種別判断部でトナーカートリッジが購入可能でないプリンタであると判断（Ｓ３０５）した場合、ＵＩ部でトナーの販売先（４０２）を画面に表示しないことを特徴とする情報処理端末。
【請求項２】
トナー残量をプリンタから取得して画面に表示するトナー残量表示方法であって、プリンタからトナー残量を取得し、トナーが既定値を超えて少なくなっているかどうかを判断する手段（２０２）と、トナー種別をプリンタから取得し、トナーカートリッジが購入可能なプリンタであるかどうかを判断する手段（２０３）と、トナーの販売先ＵＲＬを画面に表示する手段（２０１）とを備え、トナーが既定値を超えて少なくなっていると判断（Ｓ３０３）し、かつ、トナーカートリッジが購入可能でないプリンタであると判断（Ｓ３０５）した場合、トナーの販売先（４０２）を画面に表示しないことを特徴とするトナー残量表示方法。
【請求項３】
トナー残量をプリンタから取得して画面に表示するコンピュータプログラムを格納するコンピュータ可読の記憶媒体であって、プリンタからトナー残量を取得し、トナーが既定値を超えて少なくなっているかどうかを判断するステップ（２０２）と、トナー種別をプリンタから取得し、トナーカートリッジが購入可能なプリンタであるかどうかを判断するステップ（２０３）と、トナーの販売先ＵＲＬを画面に表示するステップ（２０１）をと備え、トナーが既定値を超えて少なくなっていると判断（Ｓ３０３）し、かつ、トナーカートリッジが購入可能でないプリンタであると判断（Ｓ３０５）した場合、トナーの販売先（４０２）を画面に表示しないことを特徴とするコンピュータプログラムを格納するコンピュータ可読の記憶媒体。
【発明の詳細な説明】
【技術分野】
【０００１】
本発明は、トナー販売サイトを表示する印刷方法、及びプログラムに関する。
【背景技術】
【０００２】
従来、ＰＣ（パーソナルコンピュータ）やスマートフォンなどの情報端末に保存された文書データを、プリンタに印刷する印刷プログラムが知られている。印刷プログラムは、ユーザが選択した文書データを、印刷データに変換してプリンタに送信することによって、印刷処理を実行する。
【０００３】
また、プリンタからトナー残量の情報を取得し、印刷プログラムの画面に表示することによって、ユーザにトナーカートリッジの購買時期を知らせるような機能を備えた印刷プログラムも存在する。トナー残量が少なくなると、トナー販売サイトのＵＲＬを表示して、ユーザに対してトナーの購入を勧めるような機能を備えた印刷プログラムも存在する。特許文献１においては、印刷プログラムは、印刷設定画面に、印刷装置に装着されているトナーカートリッジの残量の指標を示すトナー残量情報を含む、トナーカートリッジの発注指示を受け付ける発注画面を表示する。
【先行技術文献】
【特許文献】
【０００４】
【特許文献１】特開２０１３−０３００１１号公報
【発明の概要】
【発明が解決しようとする課題】
【０００５】
しかしながら、トナーカートリッジではなく、サービスマンがユーザからの依頼によって、トナーを補給するようなプリンタ（トナー補給機）の場合、トナーを販売サイトから購入することはできない。トナー販売サイトから購入できないにもかかわらず、トナー販売サイトのＵＲＬが表示されることは、ユーザにとって、余計な混乱を招くことにつながる。
【課題を解決するための手段】
【０００６】
トナー残量をプリンタから取得して画面に表示する情報処理端末であって、プリンタからトナー残量を取得するトナー残量取得部と、トナー種別を取得するトナー種別取得部と、トナーが既定値を超えて少なくなっているかどうかを判断するトナー残量判断部と、トナーカートリッジが購入可能なプリンタであるかどうかを判断するトナー種別判断部と、トナーの販売先ＵＲＬを画面に表示するＵＩ部を備え、トナー残量判断部でトナーが既定値を超えて少なくなっていると判断し、かつ、トナー種別判断部でトナーカートリッジが購入可能でないプリンタであると判断した場合、ＵＩ部でトナーの販売先を画面に表示しない。
【発明の効果】
【０００７】
トナー販売サイトから購入できないトナー補給機の場合に、トナー販売サイトのＵＲＬが表示されなくなることによって、ユーザの混乱を避けることができる。
【図面の簡単な説明】
【０００８】
【図１ａ】情報処理端末の基本的なハードウェア構成を示すブロック図である。
【図１ｂ】プリンタの基本的なハードウェア構成を示すブロック図である。
【図２ａ】情報処理端末のソフトウェア構成図を示した図である。
【図２ｂ】プリンタのソフトウェア構成を示した図である。
【図３】プリンタ詳細画面を表示する処理の流れを示すフローチャートである。
【図４】プリンタ詳細画面を表す図である。
【発明を実施するための形態】
【０００９】
［実施例１］
以下、本発明を実施するための最良の形態について図面を用いて説明する。
【００１０】
まず、本発明の前提となる印刷システムについて説明する。
【００１１】
図１ａは、情報処理端末の基本的なハードウェア構成を示すブロック図である。
【００１２】
図１ａにおいて、CPU１０１、RAM１０２、ROM１０３、ディスプレイ１０４、無線ＬＡＮアダプタ１０５、ベースバンドモデム１０６は、それぞれシステムバス１００を介して互いに接続されている。システムバス１００は、例えば、PCIバス、AGPバス、及びメモリバス等から成る。CPU１０１は、オペレーションシステムのプログラムやアプリケーションプログラムに基づく四則演算、比較演算等の各種の演算やハードウェアの制御を行う。RAM１０２には、ROM  １０３から詠み出されたオペレーションシステムのプログラムやアプリケーションプログラム等が記憶されている。
【００１３】
これらのプログラムはCPU１０１により実行される。ROM１０３には、オペレーションシステムと協働してハードディスク２０８等へのデータの入出力を制御する、いわゆるBIOS等が記憶される。また、オペレーティングシステムやアプリケーションプログラム（例えば、本発明における印刷システムプログラム等）、及び、アプリケーションデータ（例えば、本発明における画像データ、文書データ）も記憶している。ディスプレイ１０４は、画像信号を表示する。また、ユーザからのディスプレイタッチによる入力信号を受け付ける。
【００１４】
無線LANアダプタ１０５は、CPU２０１によって制御されるオペレーションシステムの通信プログラムと協働して無線ＬＡＮネットワークを介して接続された外部装置との通信を行う。同様に、ベースバンドモデムは、CPU２０１によって制御されるオペレーションシステムの通信プログラムと協働して電話のような音声通信を行う。
【００１５】
図１ｂは、プリンタの基本的なハードウェア構成を示すブロック図である。図１ｂにおいて、CPU１１１、RAM１１２、ROM１１３、LANアダプタ１１４、プリンタエンジン１１５、及び、操作パネル１１６は、それぞれシステムバス１１０を介して互いに接続されている。システムバス１１０は、例えば、PCIバス、AGPバス、及びメモリバス等から成る。CPU１１１は、RAM１１２をワークメモリとして、ROM  １１３に格納されたソフトウェアを実行する。
【００１６】
また、操作パネル１１６から入力されるユーザの指示に応じて、プリンタの動作を設定する。また、CPU１１１は、LANアダプタ１１４を介して、外部の機器から入力される印刷データに基づき画像データを生成し、プリンタエンジン１１５に供給して印刷を行う。
【００１７】
図２ａは、本システムを構成する情報処理端末のソフトウェア構成図を示した図である。情報処理端末は、ディスプレイ１０４を介してユーザからのタッチ入力を受け付け、結果を表示するUI部２０１を備える。UI部２０１に表示するトナー残量をプリンタから取得するトナー残量取得部２０２を備える。トナー種別をプリンタから取得するトナー種別取得部２０３を備える。画像データ、あるいは、文書データを印刷データに変換してプリンタに送信する印刷データ生成部２０４を備える。
【００１８】
図２ｂは、本システムを構成するプリンタのソフトウェア構成を示した図である。プリンタは、操作パネル１１６を介してユーザからの入力を受け付けるUI部２１１を備える。情報端末からの要求に応じて、トナー残量の情報を送信するトナー残量要求受付部２１２を備える。情報端末からの要求に応じて、トナー種別を送信するトナー種別要求受付部２１３を備える。情報処理端末から受信した印刷データに基づいて画像データを生成し、プリンタエンジン１１５に供給して印刷を行う印刷実行部２１４を備える。
【００１９】
図３は、情報処理端末が、情報処理端末に登録されたプリンタのプリンタ詳細画面を表示する処理の流れを示すフローチャートである。
【００２０】
ステップＳ３０１で、情報処理端末に登録されたプリンタを表示する画面のプリンタ詳細ボタンが押下（タッチ）されると、ステップＳ３０２で、情報処理端末はプリンタからトナー残量の情報を取得する。ステップＳ３０３で、すべてのトナーのトナー残量が既定値を超えて少なくない場合は、ステップＳ３０６でプリンタ詳細画面を表示して終了する。ステップＳ３０３で、トナー残量が既定値を超えて少ないトナーがあると判断した場合は、ステップＳ３０４で、プリンタからトナー種別を取得する。
【００２１】
ステップＳ３０５でプリンタがトナーカートリッジ機かどうかを判断し、トナーカートリッジ機の場合は、ステップＳ３０７で、トナー残量が少なくなっている旨のメッセージと、トナー販売サイトのＵＲＬを表示したプリンタ詳細画面を表示して終了する。ステップＳ３０５でプリンタがトナーカートリッジ機ではないトナー補給機と判断された場合は、ステップＳ３０８でトナー販売サイトのＵＲＬを表示しないプリンタ詳細画面を表示して終了する。
【００２２】
ステップＳ３０２、および、ステップＳ３０４において、プリンタから情報を取得する手段は、ＳＮＭＰ（Simple Network Management Protocol）を用いて、プリンタからＭＩＢ（Management Information Base）の情報を取得する。具体的には、ステップＳ３０２は、prtMarkerSuppliesLevelの情報を取得する。ステップＳ３０４は、prtMarkerSuppliesTypeの情報を取得する。ステップS３０５は、ステップＳ３０４で取得した情報に、wasteToner（廃トナー瓶）が含まれるかどうかによって、トナー補給機かどうかを判断する。
【００２３】
なお、ステップＳ３０１、ステップＳ３０６〜Ｓ３０８は、UI部２０１で実行される。ステップＳ３０２、Ｓ３０３は、トナー残量取得部２０２で実行される。ステップＳ３０４、Ｓ３０５は、トナー種別取得部２０３で実行される。
【００２４】
図４は、図３のフローチャートのステップＳ３０７において表示されるプリンタ詳細画面を表す図である。図４において、４０１は、トナー残量が少なくなっている旨をユーザに示すメッセージである。４０２は、トナー販売サイトのＵＲＬである。図３のフローチャートのステップＳ３０６において表示されるプリンタの詳細画面には、４０２、および、４０３は表示されない。また、ステップＳ３０８において表示されるプリンタの詳細画面には、４０３は表示されない。
【００２５】
本実施例において、情報処理端末は、スマートフォンを想定しているが、タブレットやＰＣ（パーソナルコンピュータ）であってもよいことは言うまでもない。また、情報処理端末とプリンタ間の通信は、無線ネットワークを想定しているが、有線のネットワークであってもよいことは言うまでもない。
【００２６】
以上述べたように、本発明に依れば、情報処理端末は、トナーカートリッジが購入できないプリンタにおいて、トナー販売サイトのＵＲＬは、プリンタ詳細画面に表示されないため、ユーザを混乱させることがない。
【符号の説明】
【００２７】
１００  システムバス
１０１  CPU
１０２  RAM
１０３  ROM
１０４  ディスプレイ
１０５  無線ＬＡＮアダプタ
１０６  ベースバンドモデム
【図１ａ】
2015004827.tif 000003
【図１ｂ】
2015004827.tif 000004
【図２ａ】
2015004827.tif 000005
【図２ｂ】
2015004827.tif 000006
【図３】
2015004827.tif 000007
【図４】
2015004827.tif 000008